(57)【特許請求の範囲】
【請求項１】
ディジタル画像、動画を含む著作物を、インターネットを含むネットワークを介して公開、または、販売した場合に必要となる使用条件チェックを行うための、著作物を登録する著作物登録端末、著作物販売管理サーバ、購入者端末、一般端末及び公開されている著作物を提供しているサーバからなるシステムにおける著作物の使用条件違反チェック方法において、
前記著作物登録端末は、
登録著作物ＩＤ埋込手段において、入力手段により取り込まれた著作物に一意に付与される著作物ＩＤを予め埋め込み、著作物送信手段において、当該著作物ＩＤを埋め込んだ著作物を前記著作物販売管理サーバに送信し、
前記著作物販売管理サーバは、
販売処理ＩＤ埋込手段において、前記著作物登録端末から取得した前記著作物に販売毎に付与される販売処理ＩＤを埋め込み、該著作物および著作物ＩＤを、少なくとも、販売処理ＩＤ、著作物が存在することを許可されているＵＲＬである使用ＵＲＬと使用有効期限とを含む使用条件、購入者の連絡先を含む購入者情報と共に、管理データベースに格納しておき、
前記一般端末は、
前記公開されている著作物を提供しているサーバから前記著作物をダウンロードし、該ダウンロードした著作物から、該著作物に埋め込まれている著作物ＩＤを読み出し、少なくとも、該著作物ＩＤと該公開されている著作物を提供しているサーバのＵＲＬと読み込み日付を前記著作物販売管理サーバに送信し、
前記著作物販売管理サーバは、
違反チェック手段において、前記一般端末から受信した前記著作物ＩＤに基づいて前記管理データベースにアクセスし、前記販売処理ＩＤを読み出し、該販売処理ＩＤに基づいて、使用ＵＲＬと使用有効期限とを含む使用条件を該管理データベースから読み出し、該一般端末から受信した該著作物ＩＤ、該公開されている著作物を提供しているサーバのＵＲＬ、読み込み日付に基づいて、該使用ＵＲＬと使用有効期限とを含む使用条件に違反しているかどうかをチェックすることを特徴とする著作物の使用条件違反チェック方法。
【請求項２】
前記著作物登録端末の前記登録著作物ＩＤ埋込手段は、一意に前記著作物ＩＤを前記著作物に埋め込む際に、
前記著作物ＩＤと共に著作者情報を当該著作物登録端末内の記憶手段に保存する請求項１記載の著作物の使用条件違反チェック方法。
【請求項３】
前記著作物登録端末において、
入力装置を用いて原著作物を取り込み、著作物コンテンツ作成手段が、取り込んだディジタル情報を著作物コンテンツとして作成する請求項１記載の著作物使用条件違反チェック方法。
【請求項４】
ディジタル画像、動画を含む著作物を、インターネットを含むネットワークを介して公開、または、販売した場合に必要となる使用条件チェックを行うための、著作物販売管理サーバ、購入者端末、一般端末及び公開されている著作物を提供しているサーバからなるシステムにおける、著作物の使用条件違反チェック方法において、
前記著作物販売管理サーバは、
登録著作物ＩＤ埋込手段において、入力手段により取り込まれた著作物に一意に付与される著作物ＩＤを予め埋め込んで、管理データベースに格納しておき、
販売処理ＩＤ埋込手段において、前記購入者端末からの購入要求を受け取ると、該著作物に該著作物の販売毎に付与される販売処理ＩＤを埋め込み、該著作物、販売処理ＩＤ、購入者の連絡先を含む購入者情報、使用ＵＲＬ及び使用有効期限を含む使用条件を、前記著作物ＩＤと対応させて前記管理データベースに格納し、
前記一般端末は、前記公開されている著作物を提供しているサーバから前記著作物をダウンロードし、該ダウンロードした著作物から、該著作物に埋め込まれている著作物ＩＤを読み出し、少なくとも該著作物ＩＤと該公開されている著作物を提供しているサーバのＵＲＬと読み込み日付を前記著作物販売管理サーバに送信し、
前記著作物販売管理サーバは、
違反チェック手段において、前記一般端末から受信した前記著作物ＩＤに基づいて前記管理データベースにアクセスし、読み出した販売処理ＩＤに基づいて、使用ＵＲＬと使用有効期限とを含む使用条件を該管理データベースから読み出し、該一般端末から受信した該著作物ＩＤ及び、公開されている著作物を提供しているサーバのＵＲＬ、読み込み日付に基づいて、該使用ＵＲＬと使用有効期限とを含む使用条件に違反しているかどうかをチェックすることを特徴とする著作物の使用条件違反チェック方法。
【請求項５】
前記著作物販売管理サーバにおいて、
ダウンロード手段は、購入者端末から購入要求を取得すると、
前記著作物ＩＤに基づいて著作物コンテンツを前記管理データベースから取得して、前記販売処理ＩＤを埋め込み、前記購入者端末にダウンロードする請求項１または４記載の著作物の使用条件違反チェック方法。
【請求項６】
前記著作物販売管理サーバにおいて、
前記違反チェック手段が、前記使用条件として使用有効期限が設定されている場合は、前記一般端末から受信した読み込み日付が該使用有効期限内であるか否か、または、前記使用ＵＲＬを用いてチェックすることにより使用条件違反かを判定し、
使用条件違反である場合には、警告処理手段が、
前記一般端末に対して、公開されている著作物を提供しているサーバへ警告メッセージを作成して警告を発行する処理、
または、前記公開されている著作物を提供しているサーバから当該著作物をダウンロードし、該著作物から販売処理ＩＤを読み出し、該販売処理ＩＤに基づいて、前記管理データベースを検索し、格納されている購入者氏名・連絡先を抽出して前記購入者端末に対して警告メッセージを作成して警告する処理、のいずれか一方、または、双方の処理を行う請求項１または４記載の著作物の使用条件違反チェック方法。
【請求項７】
ディジタル画像、動画を含む著作物を、インターネットを含むネットワークを介して公開、または、販売した場合に必要となる使用条件チェックを行うための、著作物販売管理サーバ、著作物を登録する著作物登録端末、該著作物販売管理サーバから著作物を購入する購入者端末、一般端末及び該一般端末に公開されている著作物を提供するサーバからなる著作物の使用条件違反チェックシステムであって、
前記著作物登録端末は、
入力手段により取り込まれた著作物に一意に付与される著作物ＩＤを予め埋め込む著作物ＩＤ埋込手段と、
前記著作物ＩＤが埋め込まれた著作物を前記著作物販売管理サーバに送信する著作物送信手段と、
を有し、
前記一般端末は、
前記著作物をダウンロードし、該ダウンロードした著作物から、該著作物に埋め込まれている著作物ＩＤを読み出すＩＤ読出手段と、
少なくとも前記著作物ＩＤと該著作物が存在するＵＲＬを前記著作物販売管理サーバに送信するＩＤ通知手段と、
を有し、
前記著作物販売管理サーバは、
著作物毎に一意に付与される著作物ＩＤと、使用ＵＲＬと使用有効期限とを含む使用条件、著作物ＩＤ埋込済みの著作物と、販売毎に付与される販売処理ＩＤ及び著作者情報及び前記購入者端末の購入者情報を保存する管理データベースと、
前記著作物登録端末から受信した前記著作物に前記販売処理ＩＤを埋め込み、購入者の連絡先を含む購入者情報及び使用ＵＲＬ及び使用有効期限を含む使用条件を前記管理データベースに格納する販売処理ＩＤ埋込手段と、
前記一般端末から受信した前記著作物ＩＤに基づいて前記管理データベースにアクセスし、読み出された前記販売処理ＩＤに基づいて、使用ＵＲＬと使用有効期限とを含む使用条件を該管理データベースから読み出し、該一般端末から受信した該著作物ＩＤ及び、前記公開されている著作物を提供しているサーバのＵＲＬ、読み込み日付に基づいて、該使用ＵＲＬと使用有効期限とを含む使用条件に違反しているかどうかをチェックする違反チェック手段と、
を有することを特徴とする著作物の使用条件違反チェックシステム。
【請求項８】
前記著作物登録端末は、
原著作物をディジタル情報に変換する入力装置で取り込んだディジタル情報を著作物コンテンツとするコンテンツ作成手段を具備する請求項７記載の著作物の使用条件違反チェックシステム。
【請求項９】
ディジタル画像、動画を含む著作物を、インターネットを含むネットワークを介して公開、または、販売した場合に必要となる使用条件チェックを行うための、著作物販売管理サーバ、該著作物販売管理サーバから著作物を購入する購入者端末、一般端末及び該一般端末に公開されている著作物を提供するサーバからなる著作物の使用条件違反チェックシステムであって、
前記一般端末は、
前記著作物を公開されている著作物を提供するサーバからダウンロードし、該ダウンロードした著作物から、該著作物に埋め込まれている著作物ＩＤを読み出すＩＤ読出手段と、
前記著作物販売管理サーバに、少なくとも該著作物ＩＤと、該公開されている著作物を提供しているサーバのＵＲＬ、読み込み日付を送信するＩＤ通知手段と、
を有し、
前記著作物販売管理サーバは、
著作物毎に一意に付与される著作物ＩＤと、使用ＵＲＬと使用有効期限とを含む使用条件、著作物ＩＤ埋込済みの著作物と、販売毎に付与される販売処理ＩＤ及び著作者情報及び前記購入者端末の購入者情報を保存する管理データベースと、
入力手段により取り込まれた著作物に著作物ＩＤを予め埋め込んで、前記管理データベースに格納する著作物ＩＤ埋込手段と、
前記著作物に該著作物の前記販売処理ＩＤを埋め込み、購入者の連絡先を含む購入者情報、使用ＵＲＬ及び使用有効期限を含む使用条件を、前記管理データベースに前記著作物ＩＤと対応させて格納する販売処理ＩＤ埋込手段と、
前記一般端末から受信した前記著作物ＩＤに基づいて前記管理データベースにアクセスし、読み出された販売処理ＩＤに基づいて、使用ＵＲＬと使用有効期限とを含む使用条件を該管理データベースから読み出し、該一般端末から受信した該著作物ＩＤ及び公開されている著作物を提供しているサーバのＵＲＬ、読み込み日付に基づいて、該使用ＵＲＬと使用有効期限とを含む使用条件に違反しているかどうかをチェックする違反チェック手段と、
を具備することを特徴とする著作物の使用条件違反チェックシステム。
【請求項１０】
前記著作物販売管理サーバの前記違反チェック手段は、
前記使用条件として使用有効期限が設定されている場合は前記一般端末から受信した読み込み日付が該使用有効期限内であるか否か、または、前記使用ＵＲＬを用いてチェックすることにより使用条件違反かを判定し、
使用条件違反である場合には、
前記一般端末に対して、公開されている著作物を提供しているサーバヘ警告メッセージを作成して警告を発行する処理、
または、前記公開されている著作物を提供しているサーバから当該著作物をダウンロードし、該著作物から販売処理ＩＤを読み出し、該販売処理ＩＤに基づいて、前記管理データベースを検索し、格納されている前記購入者情報を抽出して前記購入者端末に対して警告メッセージを作成して警告する処理、のいずれか一方、または、両方の処理を行う警告処理手段を含む請求項７または９記載の著作物の使用条件違反チェックシステム。
【請求項１１】
ディジタル画像、動画を含む著作物を、インターネットを含むネットワークを介して公開、または、販売した場合に必要となる使用条件チェックを行うための、著作物販売管理サーバ、著作物を登録する著作物登録端末、該著作物販売管理サーバから著作物を購入する購入者端末、一般端末及び該一般端末に公開されている著作物を提供するサーバからなる著作物の使用条件違反チェックシステムにおいて、該著作物の使用ＵＲＬと使用有効期限とを含む使用条件違反チェックを行う著作物販売管理サーバであって、
著作物毎に一意に付与される著作物ＩＤと、使用ＵＲＬと使用有効期限とを含む使用条件、著作物ＩＤ埋込済みの著作物と、販売毎に付与される販売処理ＩＤ及び著作者情報及び前記購入者端末の購入者情報を保存する管理データベースと、
前記著作物登録端末から受信した著作物に前記販売処理ＩＤを埋め込み、購入者の連絡先を含む購入者情報及び使用ＵＲＬ及び使用有効期限を含む使用条件を前記管理データベースに格納する販売処理ＩＤ埋込手段と、
前記一般端末から受信した前記著作物ＩＤに基づいて前記管理データベースにアクセスし、読み出された前記販売処理ＩＤに基づいて、使用ＵＲＬと使用有効期限とを含む使用条件を該管理データベースから読み出し、該一般端末から受信した該著作物ＩＤ及び公開されている著作物を提供しているサーバのＵＲＬ、読み込み日付に基づいて、該使用ＵＲＬと使用有効期限とを含む使用条件に違反しているかどうかをチェックする違反チェック手段と、
を有することを特徴とする著作物販売管理サーバ。
【請求項１２】
ディジタル画像、動画を含む著作物を、インターネットを含むネットワークを介して公開、または、販売した場合に必要となる使用条件チェックを行うための、著作物販売管理サーバ、該著作物販売管理サーバから著作物を購入する購入者端末、一般端末及び該一般端末に公開されている著作物を提供するサーバからなる著作物の使用条件違反チェックシステムにおいて、該著作物の使用条件違反チェックを行う著作物販売管理サーバであって、
著作物毎に一意に付与される著作物ＩＤと、使用ＵＲＬと使用有効期限とを含む使用条件、著作物ＩＤ埋込済みの著作物と、販売毎に付与される販売処理ＩＤ及び著作者情報及び前記購入者端末の購入者情報を保存する管理データベースと、
入力手段により取り込まれた著作物に著作物ＩＤを予め埋め込んで、前記管理データベースに格納する著作物ＩＤ埋込手段と、
前記著作物に、該著作物の前記販売処理ＩＤを埋め込み、購入者の連絡先を含む購入者情報、使用ＵＲＬ及び使用有効期限を含む使用条件を、前記管理データベースに前記著作物ＩＤと対応させて格納する販売処理ＩＤ埋込手段と、
前記一般端末から受信した前記著作物ＩＤに基づいて前記管理データベースにアクセスし、読み出された販売処理ＩＤに基づいて、使用ＵＲＬと使用有効期限とを含む使用条件を該管理データベースから読み出し、該一般端末から受信した該著作物ＩＤ及び前記公開されている著作物を提供しているサーバのＵＲＬ、読み込み日付に基づいて、該使用ＵＲＬと使用有効期限とを含む使用条件に違反しているかどうかをチェックする違反チェック手段と、
を有することを特徴とする著作物販売管理サーバ。
【請求項１３】
前記購入者端末から購入要求を取得すると、販売処理ＩＤを該購入要求を取得すると、
前記販売処理ＩＤを該購入要求に対応する著作物に埋め込み、該販売処理ＩＤを含む著作物販売情報を前記管理データベースに保存する販売管理手段と、
前記購入者端末に前記著作物をダウンロードする著作物ダウンロード手段とを含む請求項１１または１２記載の著作物販売管理サーバ。
【請求項１４】
前記著作物販売管理サーバの前記違反チェック手段は、
前記使用条件として使用有効期限が設定されている場合は前記一般端末から受信した読み込み日付が該使用有効期限内であるか否か、または、前記使用ＵＲＬを用いてチェックすることにより使用条件違反かを判定し、
使用条件違反である場合には、
前記一般端末に対して、公開されている著作物を提供しているサーバへ警告メッセージを作成して警告を発行する処理、
または、前記公開されている著作物を提供しているサーバから当該著作物をダウンロードし、該著作物から販売処理ＩＤを読み出し、該販売処理ＩＤに基づいて、前記管理データベースを検索し、格納されている前記購入者情報を抽出して前記購入者端末に対して警告メッセージを作成して警告する処理、のいずれか一方、または、両方の処理を行う警告処理手段を含む請求項１１または１２記載の著作物販売管理サーバ。
【請求項１５】
コンピュータに、請求項１１乃至１４記載の著作物販売管理サーバの機能を実行させるプログラムを格納したことを特徴とするコンピュータ読み取り可能な記録媒体。
【発明の詳細な説明】
【０００１】
【発明の属する技術分野】
本発明は、著作物の使用条件違反チェック方法及びシステム及び著作物販売管理サーバ及び一般端末及び記録媒体に係り、特に、ディジタル画像、動画等の著作物をサーバに登録し、インターネット等のネットワークを介して公開したり、販売する場合に、勝手に複製したり、転売する等の使用条件に違反した著作物の利用が行われていないかの使用条件チェックを行うための著作物の使用条件違反チェック方法及びシステム及び著作物販売管理サーバ及び一般端末及び記録媒体に関する。
【０００２】
【従来の技術】
従来、インターネットにおいて、写真等の著作物を公開したり、販売する場合、公開されている著作物を第三者が勝手にコピーし、他のサーバに掲載していないか、著作物の購入者が使用可能ＵＲＬ、使用期限などの使用条件に違反していないかチェックするためには、公開側あるいは、販売側が購入者のサーバやそれ以外のサーバにアクセスし、人間の目により公開した著作物を捜し、使用条件に違反していないかをチェックする。
【０００３】
チェックにより違反している場合には当該購入者に違反している旨を通知し、追徴金請求や使用停止の警告通知等の処理を行っている。
【０００４】
【発明が解決しようとする課題】
しかしながら、上記従来の方法では、著作物のチェックを人手で行っているため、誤りが起きやすい上に、時間がかかり、それに伴ってコストが増加するという問題がある。また、ＵＲＬに自動的にアクセスし、使用条件をチェックするロボットを利用した場合、広範囲を探索することにより、処理時間が膨大となり、結局狭い範囲しか検索できない、ネットワークに余計なトラヒックを与えるという問題がある。
【０００５】
本発明は、上記の点に鑑みなされたもので、公開あるいは販売した著作物の使用条件違反チェックを広範囲に自動的にかつ、正確にネットワークに余計なトラヒックを与えないで実施することが可能な著作物の使用条件違反チェック方法及びシステム及び著作物販売管理サーバ及び一般端末及び記録媒体を提供することを目的とする。
【０００６】
【課題を解決するための手段】
【０００７】
図１は、本発明の原理を説明するための図である。
本発明（請求項１）は、ディジタル画像、動画を含む著作物を、インターネットを含むネットワークを介して公開、または、販売した場合に必要となる使用条件チェックを行うための、著作物を登録する著作物登録端末、著作物販売管理サーバ、購入者端末、一般端末及び公開されている著作物を提供しているサーバからなるシステムにおける著作物の使用条件違反チェック方法において、
著作物登録端末は、
登録著作物ＩＤ埋込手段において、入力手段により取り込まれた著作物に一意に付与される著作物ＩＤを予め埋め込み、著作物送信手段において、当該著作物ＩＤを埋め込んだ著作物を著作物販売管理サーバに送信し（ステップ１）、
著作物販売管理サーバは、
販売処理ＩＤ埋込手段において、著作物登録端末から取得した著作物に販売毎に付与される販売処理ＩＤを埋め込み（ステップ２）、該著作物および著作物ＩＤを、少なくとも、販売処理ＩＤ、著作物が存在することを許可されているＵＲＬである使用ＵＲＬと使用有効期限とを含む使用条件、購入者の連絡先を含む購入者情報と共に、管理データベースに格納しておき、
一般端末は、
公開されている著作物を提供しているサーバから著作物をダウンロードし（ステップ３）、該ダウンロードした著作物から該著作物に埋め込まれている著作物ＩＤを読み出し（ステップ４）、少なくとも該著作物ＩＤと該公開されている著作物を提供しているサーバのＵＲＬと読み込み日付を著作物販売管理サーバに送信し（ステップ５）、
著作物販売管理サーバは、
違反チェック手段において、一般端末から受信した著作物ＩＤに基づいて管理データベースにアクセスし、販売処理ＩＤを読み出し、該販売処理ＩＤに基づいて、使用ＵＲＬと使用有効期限とを含む使用条件を該管理データベースから読み出し、該一般端末から受信した該著作物ＩＤ及び公開されている著作物を提供しているサーバのＵＲＬと読み込み日付に基づいて、該使用ＵＲＬと使用有効期限とを含む使用条件に違反しているかどうかをチェックする（ステップ６）。
【０００８】
本発明（請求項２）は、著作物登録端末の前記登録者作物ＩＤ埋込手段は、一意に前記著作物ＩＤを前記著作物に埋め込む際に、著作物ＩＤと共に著作者情報を当該著作物登録端末内の記憶手段に保存する。
本発明（請求項３）は、著作物登録端末において、入力装置を用いて原著作物を取り込み、著作物コンテンツ作成手段が、取り込んだディジタル情報を著作物コンテンツとして作成する。
【０００９】
本発明（請求項４）は、ディジタル画像、動画を含む著作物を、インターネットを含むネットワークを介して公開、または、販売した場合に必要となる使用条件チェックを行うための、著作物販売管理サーバ、購入者端末、一般端末及び公開されている著作物を提供しているサーバからなるシステムにおける、著作物の使用条件違反チェック方法において、
著作物販売管理サーバは、
登録著作物ＩＤ埋込手段において、入力手段により取り込まれた著作物に一意に付与される著作物ＩＤを予め埋め込んで、管理データべ−スに格納しておき、
販売処理ＩＤ埋込手段において、購入者端末からの購入要求を受け取ると、該著作物に該著作物の販売毎に付与される販売処理ＩＤを埋め込み、該著作物、販売処理ＩＤ、購入者の連絡先を含む購入者情報、使用ＵＲＬ及び使用有効期限を含む使用条件を、著作物ＩＤと対応させて管理データべ−スに格納し、
一般端末は、公開されている著作物を提供しているサーバから著作物をダウンロードし、ダウンロードした著作物から、該著作物に埋め込まれている著作物ＩＤを読み出し、少なくとも該著作物ＩＤと該公開されている著作物を提供しているサーバのＵＲＬと読み込み日付を著作物販売管理サーバに送信し、
著作物販売管理サーバは、
違反チェック手段において、一般端末から受信した著作物ＩＤに基づいて管理データベースにアクセスし、読み出した販売処理ＩＤに基づいて、使用ＵＲＬと使用有効期限とを含む使用条件を該管理データベースから読み出し、該一般端末から受信した該著作物ＩＤ及び公開されている著作物を提供しているサーバのＵＲＬと読み込み日付に基づいて、該使用ＵＲＬと使用有効期限とを含む使用条件に違反しているかどうかをチェックする。
【００１０】
本発明（請求項５）は、著作物販売管理サーバにおいて、
ダウンロード手段は、購入者端末から購入要求を取得すると、
著作物ＩＤに基づいて著作物コンテンツを管理データベースから取得して、販売処理ＩＤを埋め込み、購入者端末にダウンロードする。
【００１１】
本発明（請求項６）は、著作物販売管理サーバにおいて、
違反チェック手段が、使用条件として使用有効期限が設定されている場合は、一般端末から受信した読み込み日付が該使用有効期限内であるか否か、または、使用ＵＲＬを用いてチェックすることにより使用条件違反かを判定し、
使用条件違反である場合には、警告処理手段が、
一般端末に対して、公開されている著作物を提供しているサーバへ警告メッセージを作成して警告を発行する処理、
または、前記公開されている著作物を提供しているサーバから当該著作物をダウンロードし、該著作物から販売処理ＩＤを読み出し、該販売処理ＩＤに基づいて、前記管理データベースを検索し、格納されている購入者氏名・連絡先を抽出して前記購入者端末に対して警告メッセージを作成して警告する処理、のいずれか一方、または、双方の処理を行う。
【００１２】
図２は、本発明の原理構成図である。
本発明（請求項７）は、ディジタル画像、動画を含む著作物を、インターネットを含むネットワークを介して公開、または、販売した場合に必要となる使用条件チェックを行うための、著作物販売管理サーバ２００、著作物を登録する著作物登録端末１００、該著作物販売管理サーバ２００から著作物を購入する購入者端末、一般端末３００及び該一般端末３００に公開されている著作物を提供するサーバからなる著作物の使用条件違反チェックシステムであって、
著作物登録端末１００は、
入力手段により取り込まれた著作物に一意に付与される著作物ＩＤを予め埋め込む著作物ＩＤ埋込手段１３０と、
著作物ＩＤが埋め込まれた著作物を著作物販売管理サーバに送信する著作物送信手段と、
を有し、
一般端末３００は、
著作物をダウンロードし、該ダウンロードした著作物から、該著作物に埋め込まれている著作物ＩＤを読み出すＩＤ読出手段３１０と、
少なくとも著作物ＩＤと該者作物が存在するＵＲＬを著作物販売管理サーバに送信するＩＤ通知手段と３２０、
を有し、
著作物販売管理サーバ２００は、
著作物毎に一意に付与される著作物ＩＤと、使用ＵＲＬと使用有効期限とを含む使用条件、著作物ＩＤ埋込済みの著作物と、販売毎に付与される販売処理ＩＤ及び著作者情報及び購入者端末の購入者情報を保存する管理データベース２２０と、
著作物登録端末１００から受信した著作物に販売処理ＩＤを埋め込み、購入者の連絡先を含む購入者情報及び使用ＵＲＬ及び使用有効期限を含む使用条件を管理データベース２２０に格納する販売処理ＩＤ埋込手段２１０と、
一般端末３００から受信した著作物ＩＤに基づいて管理データベース２２０にアクセスし、読み出された販売処理ＩＤに基づいて、使用ＵＲＬと使用有効期限とを含む使用条件を該管理データベースから読み出し、該一般端末３００から受信した該著作物ＩＤ及び公開されている著作物を提供しているサーバのＵＲＬ、読み込み日付に基づいて、
該使用ＵＲＬと使用有効期限とを含む使用条件に違反しているかどうかをチェックする違反チェック手段２４０と、を有する。
【００１３】
本発明（請求項８）は、著作物登録端末１００において、原著作物をディジタル情報に変換する入力装置で取り込んだディジタル情報を著作物コンテンツとするコンテンツ作成手段を具備する。
本発明（請求項９）は、ディジタル画像、動画を含む著作物を、インターネットを含むネットワークを介して公開、または、販売した場合に必要となる使用条件チェックを行うための、著作物販売管理サーバ、該著作物販売管理サーバから著作物を購入する購入者端末、一般端末及び該一般端末に公開されている著作物を提供するサーバからなる著作物の使用条件違反チェックシステムであって、
一般端末は、
著作物を公開されている著作物を提供するサーバからダウンロードし、該ダウンロードした著作物から、該著作物に埋め込まれている著作物ＩＤを読み出すＩＤ読出手段と、
著作物販売磨理サーバに、少なくとも該著作物ＩＤと該公開されている著作物を提供しているサーバのＵＲＬ、読み込み日付を送信するＩＤ通知手段と、
を有し、
著作物販売管理サーバは、
著作物毎に一意に付与される著作物ＩＤと、使用ＵＲＬと使用有効期限とを含む使用条件、著作物ＩＤ埋込済みの著作物と販売毎に付与される販売処理ＩＤ及び著作者情報及び購入者端末の購入者情報を保存する管理データベースと、
入力手段により取り込まれた著作物に著作物ＩＤを予め埋め込んで、管理データベースに格納する著作物ＩＤ埋込手段と、
著作物に該著作物の販売処理ＩＤを埋め込み、購入者の連絡先を含む購入者情報、使用ＵＲＬ及び使用有効期限を含む使用条件を、管理データベースに著作物ＩＤと対応させて格納する販売処理ＩＤ埋込手段と、
一般端末から受信した著作物ＩＤに基づいて管理データベースにアクセスし、読み出された販売処理ＩＤに基づいて、使用ＵＲＬと使用有効期限とを含む使用条件を該管理データベースから読み出し、該一般端末から受信した該著作物ＩＤ及び公開されている著作物を提供しているサーバのＵＲＬ、読み込み日付に基づいて、該使用ＵＲＬと使用有効期限とを含む使用条件に違反しているかどうかをチェックする違反チェック手段と、
を具備する。
【００１５】
本発明（請求項１０）は、著作物販売管理サーバの違反チェック手段において、
使用条件として使用有効期限が設定されている場合は一般端末から受信した読み込み日付が該使用有効期限内であるか否か、または、使用ＵＲＬを用いてチェックすることにより使用条件違反かを判定し、
使用条件違反である場合には、
一般端末に対して、公開されている著作物を提供しているサーバへ警告メッセージを作成して警告を発行する処理、
または、前記公開されている著作物を提供しているサーバから当該著作物をダウンロードし、該著作物から販売処理ＩＤを読み出し、該販売処理ＩＤに基づいて、前記管理データベースを検索し、格納されている前記購入者情報を抽出して前記購入者端末に対して警告メッセージを作成して警告する処理、のいずれか一方、または、両方の処理を行う警告処理手段を含む。
【００１６】
本発明（請求項１１）は、ディジタル画像、動画を含む著作物を、インターネットを含むネットワークを介して公開、または、販売した場合に必要となる使用条件チェックを行うための、著作物販売管理サーバ、著作物を登録する著作物登録端末、該著作物販売管理サーバから著作物を購入する購入者端末、一般端末及び該一般端末に公開されている著作物を提供するサーバからなる著作物の使用条件違反チェックシステムにおいて、該著作物の使用ＵＲＬと使用有効期限とを含む使用条件違反チェックを行う著作物販売管理サーバであって、
著作物毎に一意に付与される著作物ＩＤと、使用ＵＲＬと使用有効期限とを含む使用条件、著作物ＩＤ埋込済みの著作物と、販売毎に付与される販売処理ＩＤ及び著作者情報及び購入者端末の購入者情報を保存する管理データベースと、
著作物登録端末から受信した著作物に販売処理ＩＤを埋め込み、購入者の連絡先を含む購入者情報及び使用ＵＲＬ及び使用有効期限を含む使用条件を管理データベースに格納する販売処理ＩＤ埋込手段と、
一般端末から受信した著作物ＩＤに基づいて管理データベースにアクセスし、読み出された販売処理ＩＤに基づいて、使用ＵＲＬと使用有効期限とを含む使用条件を該管理データベースから読み出し、該一般端末から受信した該著作物ＩＤ及び公開されている著作物を提供しているサーバのＵＲＬ、読み込み日付に基づいて、該使用ＵＲＬと使用有効期限とを含む使用条件に違反しているかどうかをチェックする違反チェック手段と、を有する。
【００１７】
本発明（請求項１２）は、ディジタル画像、動画を含む著作物を、インターネットを含むネットワークを介して公開、または、販売した場合に必要となる使用条件チェックを行うための、著作物販売管理サーバ、該著作物販売管理サーバから著作物を購入する購入者端末、一般端末及び該一般端末に公開されている著作物を提供するサーバからなる著作物の使用条件違反チェックシステムにおいて、該著作物の使用条件違反チェックを行う著作物販売管理サーバであって、
著作物毎に一意に付与される著作物ＩＤと、使用ＵＲＬと使用有効期限とを含む使用条件、著作物ＩＤ埋込済みの著作物と、販売毎に付与される販売処理ＩＤ及び著作者情報及び購入者端末の購入者情報を保存する管理データベースと、
入力手段により取り込まれた著作物に著作物ＩＤを予め埋め込んで、管理データベースに格納する著作物ＩＤ埋込手段と、
著作物に、該著作物の販売処理ＩＤを埋め込み、購入者の連絡先を含む購入者情報、使用ＵＲＬ及び使用有効期限を含む使用条件を、管理データベースに著作物ＩＤと対応させて格納する販売処理ＩＤ埋込手段と、
一般端末から受信した著作物ＩＤに基づいて管理データベースにアクセスし、読み出された販売処理ＩＤに基づいて、使用ＵＲＬと使用有効期限とを含む使用条件を該管理データベースから読み出し、該一般端末から受信した該著作物ＩＤ及び公開されている著作物を提供しているサーバのＵＲＬ、読み込み日付に基づいて、該使用ＵＲＬと使用有効期限とを含む使用条件に違反しているかどうかをチェックする違反チェック手段と、を有する。
【００１８】
本発明（請求項１３）は、購入者端末から購入要求を取得すると、販売処理ＩＤを該購入要求を取得すると、販売処理ＩＤを該購入要求に対応する著作物に埋め込み、該販売処理ＩＤを含む著作物販売情報を前記管理データベースに保存する販売管理手段と、
前記購入者端末に前記著作物をダウンロードする著作物ダウンロード手段とを含む。
【００１９】
本発明（請求項１４）は、著作物販売管理サーバの違反チェック手段は、
使用条件として使用有効期限が設定されている場合は一般端末から受信した読み込み日付が該使用有効期限内であるか否か、または、使用ＵＲＬを用いてチェックすることにより使用条件違反かを判定し、
使用条件違反である場合には、
一般端末に対して、公開されている著作物を提供しているサーバへ警告メッセージを作成して警告を発行する処理、
または、前記公開されている著作物を提供しているサーバから当該著作物をダウンロードし、該著作物から販売処理ＩＤを読み出し、該販売処理ＩＤに基づいて、前記管理データベースを検索し、格納されている前記購入者情報を抽出して前記購入者端末に対して警告メッセージを作成して警告する処理、のいずれか一方、または、両方の処理を行う警告処理手段を含む。
【００２２】
本発明（請求項１５）は、コンピュータに、請求項１１乃至１４記載の著作物販売管理サーバの機能を実行させるプログラムを格納したコンピュータ読み取り可能な記録媒体である。
【００２５】
このように、本発明では、公開または、販売された著作物について、一般の端末から著作物等の問い合わせ等があった場合に、当該一般の端末から通知された著作物ＩＤ、販売処理ＩＤ及び当該著作物が存在する場所の情報（購入者端末）等を用いて管理データベースを探索することにより、著作物の使用条件をチェックし、違反している場合には、当該購入者端末（購入者）を特定し、警告を発することが可能となる。
【００２６】
さらに、一般の端末がアクセスした他のサーバに対しても当該著作物が使用条件に違反していることを警告することが可能となる。このように、一般端末がある著作物に対して販売管理サーバに対して当該著作物に関する問い合わせ等を行った場合に、当該一般端末から取得した情報を用いて、保存されている管理データベースの内容と照合することにより、公開、または、販売した先を全て探索しなくとも容易に使用条件違反をチェックすることが可能となる。
【００２７】
さらに、本発明では、販売管理サーバにおいて、著作物コンテンツに販売処理ＩＤ埋込用鍵を用いて販売処理ＩＤを埋め込み、当該鍵を当該サーバの管理データベースに格納しておくことにより、他の端末等からの当該販売処理ＩＤの改ざん等が不可能となる。
【００２８】
【発明の実施の形態】
図３は、本発明の第１の使用条件違反チェックシステムの構成を示す。
同図におけるシステムは、登録端末１００、著作物販売管理サーバ２００、一般端末３００、購入者端末４００及び他のサーバ５００から構成される。
登録端末１００は、著作物のコンテンツを生成する端末であり、画像等の原著作物をスキャナ等の入力装置により読み込む著作物コンテンツ作成部１１０、読み込んだ著作物を著作物販売管理サーバ２００に送信する著作物送信部１２０、著作物コンテンツに著作物ＩＤを埋め込む登録著作物ＩＤ埋込部１３０、著作物ＩＤ、著作物販売管理サーバのＵＲＬ、著作物コンテンツ、著作者名、価格、販売処理ＩＤ埋込用鍵等を格納する記憶部１４０を有する構成が可能である。
【００２９】
著作物販売管理サーバ２００は、著作物ＩＤ、販売処理ＩＤを販売処理ＩＤ埋込用鍵を用いて登録端末１００から送信された著作物に埋め込むＩＤ埋込部２１０、管理データベース２２０、購入者端末４００に著作物をダウンロードするダウンロード部２３０、一般端末３００から通知された情報に基づいて管理データベース２２０を検索し、使用条件のチェックを行う違反チェック部２４０、違反チェック部２４０においてチェックした結果、違反がある場合に、購入者端末４００（購入者）及び一般端末に著作物を提供したサーバ５００に対して警告を発する警告処理部２５０を有する。
【００３０】
上記の管理データベース２２０は、図４に示すように、著作物ＩＤ２２１、著作物２２２、販売処理ＩＤ埋込用鍵２２３、販売処理ＩＤ２２４、販売日付２２５、購入者名・連絡先２２６、使用ＵＲＬ（著作物が存在することを許可されているＵＲＬ）２２７、使用期限等の使用条件２２８販売価格２２９等を格納する。一般端末３００は、サーバ５００から取得した著作物の著作物ＩＤを読み出すＩＤ読出部３１０、著作物が存在するＵＲＬ及び読込日付を著作物ＩＤで指定される著作物販売管理サーバ２００に通知するＩＤ通知部３２０から構成される。
【００３１】
購入者端末４００は、著作物販売管理サーバ２００に対して著作物の購入の要求を発行し、著作物を購入すると、当該著作物がダウンロードされる。
サーバ５００は、一般端末３００に対して公開されている著作物を提供する。
以下に、図３における登録端末１００を有するシステムの動作を説明する。
図５は、本発明の第１の使用条件違反チェック動作のシーケンスチャートである。
【００３２】
ステップ１０１）  登録端末１００では、著作物コンテンツ作成部１１０において、画像情報等の著作物をスキャナ等の入力装置を用いて取り込み、著作物コンテンツを生成すると共に、登録著作物ＩＤ埋込部１３０は、著作物コンテンツ作成部１１０で生成された著作物コンテンツに著作物ＩＤを埋め込むと共に、著作物コンテンツの送信先のサーバ５００のＵＲＬ、著作物コンテンツそのもの、著作者名、著作物の価格を記憶部１４０に格納する。
【００３３】
ステップ１０２）  登録端末１００の著作物送信部１２０は、著作物コンテンツ作成部１１０において生成された著作物コンテンツを著作物販売管理サーバ２００に送信する。
ステップ１０３）  登録端末１００の著作物コンテンツ作成部１１０で生成された著作物コンテンツと、登録著作物ＩＤ埋込部１３０で生成された著作物ＩＤ、著作物コンテンツを送信した著作物販売管理サーバ２００のＵＲＬ、著作物コンテンツそのもの、著作者名、著作物の価格を記憶部１４０に格納する。
【００３４】
ステップ１０４）  購入者端末４００が著作物の購入要求を著作物販売管理サーバ２００に対して発行する。購入要求は、購入者名、使用条件（使用ＵＲＬ、使用期限）から構成される。これらの情報は、著作物販売管理サーバ２００から各端末に公開されているものとする。
ステップ１０５）  著作物販売管理サーバ２００のＩＤ埋込部２１０は、購入者端末４００からの購入要求に対応する著作物に、著作物ＩＤ及び販売処理ＩＤ埋込用鍵を用いて販売処理ＩＤを埋め込む。
【００３５】
ステップ１０６）  著作物販売管理サーバ２００のＩＤ埋込部２１０は、販売処理ＩＤ２２４、該販売処理ＩＤを埋め込むための販売処理ＩＤ埋込用鍵２２３、著作物ＩＤ２２１、販売日付２２５、購入者名・連絡先２２６、販売価格２２９、使用ＵＲＬ２２７や使用期限等の使用条件２２８及び著作物２２２を管理データベース２２０に格納する。
【００３６】
ステップ１０７）  著作物販売管理サーバ２００のダウンロード部２３０は、購入者端末４００により指定された著作物を管理データベース２２０からダウンロードする。
ステップ１０８）  一般端末３００があるサーバ５００にアクセスする。
ステップ１０９）  アクセスされたサーバ５００は、一般端末３００に対して著作物情報を提供する。
【００３７】
ステップ１１０）  ここで一般端末３００は、著作者への問い合わせを行うものとする。一般端末ＩＤ読出部３１０は、著作物ＩＤ（なお、この場合のＩＤは、著作物販売管理サーバのＵＲＬであるとする）を読み出す。
ステップ１１１）  一般端末３００のＩＤ通知部３２０は、著作物存在ＵＲＬ（著作物を提供したサーバのＵＲＬ）、及び読込日付を著作物ＩＤで指定される著作物販売管理サーバ２００に通知する。
【００３８】
ステップ１１２）  著作物販売管理サーバ２００は、一般端末３００から通知された内容（著作物存在ＵＲＬ（著作物を提供したサーバのＵＲＬ）及び読込日付）を受信すると、違反チェック部２４０において、受信した内容に基づいて管理データベース２２０を検索し、使用条件をチェックする。。
ステップ１１３）  違反チェック部２４０において、使用期限等の使用条件違反があるか否かを判定する。このとき、管理データベース２２０の使用条件２２８に当該著作物の使用有効期限が設定されている場合には、受信した読込日付が有効期限内であるか否かにより当該著作物が不正利用されていないかをチェックできる。
【００３９】
ステップ１１４）  使用条件違反がある場合には、警告処理部２５０において警告のメッセージの作成等の処理を行う。
ステップ１１５）  警告処理部２５０は、一般端末３００に著作物情報を提供したサーバ５００に警告を発行する。
ステップ１１６）  さらに、警告処理部２５０は、サーバ５００から著作物をダウンロードし、当該著作物に埋め込まれている販売処理ＩＤを販売処理ＩＤ埋込用鍵２２３を用いて読み出す。
【００４０】
ステップ１１７）  警告処理部２５０は、読み出した販売処理ＩＤに基づいて管理データベース２２０を検索し、購入者名・連絡先２２６を抽出する。
ステップ１１８）  抽出した購入者名（連絡先）に対応する購入者端末４００に対して、使用条件違反であることを警告する。
上記のように、図３に示す登録端末１００を含む構成のシステムでは、当該登録端末１００において、著作物ＩＤを埋め込んで著作物販売管理サーバ２００に著作物を送信する。このような構成をとることにより、著作物販売管理サーバ２００では、複数の登録端末１００から種々の著作物の登録を受け付け、各々の著作物に関する使用条件のチェックを行うことが可能となる。
【００４１】
次に、図３のような登録端末１００を持たずに、著作物販売管理サーバ２００において著作物ＩＤを埋め込む例を説明する。
図６は、本発明の第２の使用条件違反チェンクシステムの構成を示す。同図において図３と同一構成部分には同一符号を付し、その説明を省略する。
図６に示す構成は、著作物販売管理サーバ２００、一般端末３００、購入者端末４００、サーバ５００から構成され、一般端末３００、購入者端末４００及びサーバ５００は図３の構成と同様であるため、説明を省略する。
【００４２】
図６に示す著作物販売管理サーバ２００は、図３の構成に、画像等の原著作物をスキャナ等の入力装置により読み込む著作物コンテンツ作成部２６０と、読み込んだ著作物コンテンツに一意の著作物ＩＤを埋め込む登録著作物ＩＤ埋込部２７０を加えた構成である。
図６に示すシステムの動作を説明する。
【００４３】
図７は、本発明の第２の使用条件違反チェック動作のシーケンスチャートである。
ステップ２０１）  著作物販売管理サーバ２００では、著作物コンテンツ作成部２６０において、画像情報等の著作物をスキャナ等の入力装置を用いて取り込み、著作物コンテンツを生成すると共に、登録著作物ＩＤ埋込部２７０は、著作物コンテンツ作成部２６０で生成された著作物コンテンツに著作物ＩＤを埋め込む。
【００４４】
ステップ２０２）  ステップ２０１で埋め込まれた著作物ＩＤ２２１と共に、著作物コンテンツの送信先のサーバ５００のＵＲＬ２２７、著作物２２２そのもの、販売価格２２９を管理データベース２２０に格納する。
ステップ２０３）  購入者端末４００が著作物の購入要求を著作物販売管理サーバ２００に対して発行する。購入要求は、購入者名、使用条件（使用ＵＲＬ、使用期限）から構成される。これらの情報は、著作物販売管理サーバ２００から各端末に公開されているものとする。
【００４５】
ステップ２０４）  著作物販売管理サーバ２００のＩＤ埋込部２１０は、購入者端末４００からの購入要求に対応する著作物に、著作物ＩＤ及び販売処理ＩＤ埋込用鍵を用いて販売処理ＩＤを埋め込む。
ステップ２０５）  著作物販売管理サーバ２００のＩＤ埋込部２１０は、販売処理ＩＤを埋め込むための販売処理ＩＤ埋込用鍵２２３、販売処理ＩＤ２２４、著作物ＩＤ２２１、販売日付２２５、購入者名・連絡先２２６、販売価格２２９、使用ＵＲＬ２２７や使用期限等の使用条件２２８を管理データベース２２０に格納する。
【００４６】
ステップ２０６）  著作物販売管理サーバ２００のダウンロード部２３０は、購入者端末４００により指定された著作物をダウンロードする。
ステップ２０７）  一般端末３００があるサーバ５００にアクセスする。
ステップ２０８）  アクセスされたサーバ５００は、一般端末３００に対して著作物情報を提供する。
【００４７】
ステップ２０９）  ここで一般端末３００は、著作者への問い合わせを行うものとする。一般端末ＩＤ読出部３１０は、著作物ＩＤ（なお、この場合のＩＤは、著作物を提供したサーバのＵＲＬであるとする）を読み出す。
ステップ２１０）  一般端末３００のＩＤ通知部３２０は、著作物存在ＵＲＬ（著作物を提供したサーバのＵＲＬ）、及び読込日付を著作物ＩＤで指定される著作物販売管理サーバ２００に通知する。
【００４８】
ステップ２１１）  著作物販売管理サーバ２００は、一般端末３００から通知された内容を受信すると、違反チェック部２４０において、受信した内容に基づいて管理データベース２２０を検索し、使用条件２２８をチェックする。
ステップ２１２）  違反チェック部２４０において、使用期限等の使用条件違反があるか否かを判定する。このとき、管理データベース２２０の使用条件２２８に当該著作物の使用有効期限が設定されている場合には、受信した読込日付が有効期限内であるか否かにより当該著作物が不正利用されていないかをチェックできる。
【００４９】
ステップ２１３）  使用条件違反がある場合には、警告処理部２５０において警告のメッセージの作成等の処理を行う。
ステップ２１４）  警告処理部２５０は、一般端末３００に著作物情報を提供したサーバ５００に警告を発行する。
ステップ２１５）  さらに、警告処理部２５０は、サーバ５００から著作物をダウンロードし、当該著作物に埋め込まれている販売処理ＩＤを販売処理ＩＤ埋込用鍵を用いて読み出す。
【００５０】
ステップ２１６）  警告処理部２５０は、読み出した販売処理ＩＤに基づいて管理データベース２２０を検索し、購入者名・連絡先２２６を抽出する。
ステップ２１７）  抽出した購入者名（連絡先）に対応する購入者端末４００に対して、使用条件違反であることを警告する。
上記の処理により図３に示すような登録端末１００を使用せずに、著作物販売管理サーバ２００において著作物コンテンツの生成及び著作物ＩＤの埋込の処理が可能となるため、当該管理サーバにおいて管理する著作物の登録及び違反チェック処理が可能となる。
【００５１】
なお、上記の実施例では、著作物管理サーバ２００において著作物が不正利用されていないかをチェックする場合に、一般端末３００から送信される内容に含まれる読み込み年月日を用いてチェックする例を示しているが、この例に限定されることなく、一般端末３００から著作物管理サーバ２００に対して送信する内容に読み込み年月日が含まれていない場合には、著作物管理サーバ２００は、著作物の存在場所の情報（著作物を提供したサーバのＵＲＬ）のみを用いてチェックすることも可能である。
【００５２】
上記の例において、図３及び図６に示す著作物販売管理サーバ２００の構成要素をソフトウェアで構築し、当該サーバ２００に使用されるコンピュータに接続されるディスク装置や、フロッピーディスク、ＣＤ−ＲＯＭ等の可搬記憶媒体に格納しておき、使用条件違反のチェックを行う際にインストールして実行することにより、汎用的にチェックを行うことが可能である。
【００５３】
本発明は、上記の実施例に限定されることなく、特許請求の範囲内で種々変更・応用が可能である。
【００５４】
【発明の効果】
上述のように、本発明によれば、公開または、販売された著作物について、勝手に複製されていないか、無許可で転売されているような使用条件の違反をチェックする際に、ある一般端末が著作物の購入に対する問い合わせ等があった場合に、当該一般端末から通知された情報に基づいて、管理データベースを探索することにより、著作物の使用条件をチェックし、違反している場合には、当該著作物の購入者端末（購入者）を特定し、警告を発行することができるため、広範囲に及び違反チェックを行う必要がない。
【００５５】
さらに、一般の端末がアクセスした他のサーバに対しても当該著作物が使用条件に違反していることを警告することが可能であるため、しらないうちに著作物が転売されているようなケースを防止することができる。
このように、一般端末がある著作物に対して著作物販売管理サーバに対して当該著作物に関する問い合わせ等を行ったことを契機として、管理データベースの使用条件等と照合することにより、公開、または、販売した先を全て探索しなくとも容易に使用ＵＲＬや使用期限等の使用条件違反をチェックすることができる。
【００５６】
また、本発明は、著作物販売管理サーバにおいて販売処理ＩＤ埋込用鍵を用いて販売処理ＩＤを読み出し、当該販売処理ＩＤに基づいて著作物情報を取得することが可能であるため、当該著作物に対するセキュリティが保持できる。
さらに、本発明は、使用条件違反チェックの結果、使用条件違反があると判定された場合には、著作物を提供したサーバ及び購入者の両方に警告を発することが可能であるため、違反が見つかった時点における警告漏れを防止することができる。
【００５７】
さらに、本発明の著作物販売管理サーバにおいて、販売処理ＩＤを著作物に埋め込むための販売処理ＩＤ埋込用鍵を管理データベースに格納しておくことにより、他の端末から違反チェックのための販売情報に対して直接アクセスすることが不可能であり、著作物の販売情報を改ざんすることができない。
さらに、本発明では、著作物販売管理サーバにおいて、一般端末から受信した内容について、管理データベース内の使用条件を用いてチェックする際に、一般端末から通知された読込年月日を用いることにより、著作物の使用有効期限を超えていないかのチェックを行うことができる。
【００５８】
また、本発明では、著作物ＩＤ及び販売処理ＩＤの両方を用いているため、販売処理ＩＤを読み出す鍵を一般端末で持つことがなく、販売管理サーバで持つ形となるため、販売処理ＩＤを読みだされたり、改ざんされたり、消去されたりすることがなく、安全性が高まる。
【図面の簡単な説明】
【図１】本発明の原理を説明するための図である。
【図２】本発明の原理構成図である。
【図３】本発明の第１の使用条件違反チェックシステムの構成図である。
【図４】本発明の管理データベースの構成図である。
【図５】本発明の第１の使用条件違反チェック動作のシーケンスチャートである。
【図６】本発明の第２の使用条件違反チェックシステムの構成図である。
【図７】本発明の第２の使用条件違反チェック動作のシーケンスチャートである。
【符号の説明】
１００  著作物登録端末
１１０  著作物コンテンツ作成部
１２０  著作物送信部
１３０  著作物ＩＤ埋込手段、登録著作物ＩＤ埋込部
１４０  記憶部
２００  著作物販売管理サーバ
２１０  販売処理ＩＤ埋込手段、ＩＤ埋込部
２２０  管理データベース
２２１  著作物ＩＤ
２２２  著作物
２２３  販売処理ＩＤ埋込用鍵
２２４  販売処理ＩＤ
２２５  販売日付
２２６  購入者名・連絡先
２２７  使用ＵＲＬ
２２８  使用条件
２２９  販売価格
２３０  ダウンロード部
２４０  違反チェック手段、違反チェック部
２５０  警告処理部
２６０  著作物コンテンツ作成部
２７０  登録著作物ＩＤ埋込部
３００  一般端末
３１０  ＩＤ読出手段、ＩＤ読出部
３２０  ＩＤ通知手段、ＩＤ通知部
４００  購入者端末
５００  サーバ
【図１】
0004511645.tif 000002
【図２】
0004511645.tif 000003
【図３】
0004511645.tif 000004
【図４】
0004511645.tif 000005
【図５】
0004511645.tif 000006
【図６】
0004511645.tif 000007
【図７】
0004511645.tif 000008